(57)【要約】【課題】低温定着性と耐熱保存性に優れ、さらに定着画像の耐擦過性が向上し、トナー飛散を低減することができる電子写真用トナーに関すること。【解決手段】スチレンアクリル樹脂(Ａ)の原料モノマー(ａ)、結晶性樹脂(Ｂ)及び着色剤を含有する重合性単量体組成物を水系媒体中で重合する工程を含む方法により得られる、スチレンアクリル樹脂(Ａ)と結晶性樹脂(Ｂ)を含有する結着樹脂及び着色剤を含有する電子写真用トナーであって、前記結晶性樹脂(Ｂ)が、炭素数2以上8以下の脂肪族ジオールＡと炭素数9以上14以下の脂肪族ジオールＢを30/70以上70/30以下のモル比（脂肪族ジオールＡ／脂肪族ジオールＢ）で含有するアルコール成分とカルボン酸成分を含む原料モノマーを重縮合して得られるポリエステル樹脂部分(Ｂ１)を含む樹脂である、電子写真用トナー。【選択図】なし【特許請求の範囲】
【請求項１】
スチレンアクリル樹脂(Ａ)の原料モノマー(ａ)、結晶性樹脂(Ｂ)及び着色剤を含有する
重合性単量体組成物を水系媒体中で重合する工程を含む方法により得られる、スチレンア
クリル樹脂(Ａ)と結晶性樹脂(Ｂ)を含有する結着樹脂及び着色剤を含有する電子写真用ト
ナーであって、
前記結晶性樹脂(Ｂ)が、炭素数2以上8以下の脂肪族ジオールＡと炭素数9以上14以下の脂
肪族ジオールＢを30/70以上70/30以下のモル比（脂肪族ジオールＡ／脂肪族ジオールＢ）
で含有するアルコール成分とカルボン酸成分を含む原料モノマーを重縮合して得られるポ
リエステル樹脂部分(Ｂ１)を含む樹脂である、
電子写真用トナー。
【請求項２】
結晶性樹脂(Ｂ)が、炭素数2以上8以下の脂肪族ジオールＡと炭素数9以上14以下の脂肪
族ジオールＢを30/70以上70/30以下のモル比（脂肪族ジオールＡ／脂肪族ジオールＢ）で
含有するアルコール成分とカルボン酸成分を含む原料モノマーを重縮合して得られるポリ
エステル樹脂部分(Ｂ１)と、スチレンを含む原料モノマーを付加重合して得られる付加重
合系樹脂部分(Ｂ２)を有する複合樹脂である、請求項１記載の電子写真用トナー。
【請求項３】
結晶性樹脂(Ｂ)において、ポリエステル樹脂部分(Ｂ１)と付加重合系樹脂部分(Ｂ２)の
質量比（ポリエステル樹脂部分(Ｂ１)／付加重合系樹脂部分(Ｂ２)）が60/40以上である
、請求項２記載の電子写真用トナー。
【請求項４】
ポリエステル樹脂部分(Ｂ１)のカルボン酸成分が、炭素数8以上16以下の脂肪族ジカル
ボン酸化合物を含有する、請求項１〜３いずれか記載の電子写真用トナー。
【請求項５】
ポリエステル樹脂部分(Ｂ１)の原料モノマーが、炭素数8以上22以下の1価のアルコール
及び炭素数8以上22以下の1価のカルボン酸化合物の少なくともいずれかを含有する、請求
項１〜４いずれか記載の電子写真用トナー。
【請求項６】
結晶性樹脂(Ｂ)の酸価と水酸基価の合計値が、2.5mgKOH/g以上25mgKOH/g以下である、
請求項１〜５いずれか記載の電子写真用トナー。
【請求項７】
結晶性樹脂(Ｂ)の含有量が、結着樹脂中、1質量％以上20質量％以下である、請求項１
〜６いずれか記載の電子写真用トナー。
【発明の詳細な説明】
【技術分野】
【０００１】
本発明は、本発明は電子写真法、静電記録法、静電印刷法等に用いられる電子写真用ト
ナーに関する。
【背景技術】
【０００２】
近年、電子写真方式を用いるプリンター、コピー機においても、少ない消費電力での印
字、ＣＯ2排出量削減を念頭においた開発が行われており、例えば、特許文献１には、結
晶性樹脂を添加して低温定着性能を向上させたトナーにおいて、充分な低温定着性能を有
し、かつ現像工程の高速化に対応することを課題として、スチレンアクリル系樹脂を主成
分とする結着樹脂、着色剤及び結晶性樹脂を含有するトナー粒子の製造方法であって、樹
脂粒子を製造した後に、該樹脂粒子を水系媒体中において、該結着樹脂の中間点ガラス転
移温度以上、該結晶性樹脂の融解開始温度以下の温度で0.5時間以上加熱保持する工程を
含むことを特徴とするトナー粒子の製造方法が開示されている。
【０００３】
さらに、特許文献２には、トナーの低温定着性に優れるとともに、画像の光沢性及び耐
フィルミング性に優れたトナーを得ることができるトナー用結晶性樹脂として、炭素数2
〜10の脂肪族ジオールを含有したアルコール成分と、芳香族ジカルボン酸を含有したカル
ボン酸成分とを重縮合させて得られる重縮合系樹脂成分とスチレン系樹脂成分とを含む複
合樹脂からなる、トナー用結晶性樹脂が開示されている。
【先行技術文献】
【特許文献】
【０００４】
【特許文献１】特開２０１３−８０１１２号公報
【特許文献２】特開２０１０−１３９６５９号公報
【発明の概要】
【発明が解決しようとする課題】
【０００５】
トナーの結着樹脂として、スチレンアクリル樹脂はポリエステル樹脂に比べると低温定
着性で劣るため、印字時に電力を要するという課題がある。かかる課題に対して、前記特
許文献１では、結晶性ポリエステルを併用することが有効であると報告されているが、重
合性単量体組成物を水系媒体中で重合する工程を含む方法により得られる電子写真用トナ
ーの場合、トナーの保存性、特に高温環境下での保存性（耐熱保存性）の観点から、結晶
性ポリエステルを内包するためには、長鎖の脂肪族ジオールを用いて、結晶性ポリエステ
ルのＳＰ値を、スチレンアクリル樹脂のＳＰ値より低くすることが考えられる。
【０００６】
しかし、両樹脂のＳＰ値が離れるためか、結晶性ポリエステルの分散性が低下し、定着
時に、結晶性ポリエステルが先に溶融し、スチレンアクリル樹脂が溶融しにくくなり、十
分な低温定着性を発揮することができない。
【０００７】
また、トナーが結晶性ポリエステルを含有していると、定着後に結晶性ポリエステルが
成長し、定着画像の耐擦過性が低下することがある。
【０００８】
また、重合性単量体組成物の重合によりトナー粒子を形成する場合、粒子の合一により
、トナー粒子の円形度が低くなると、トナー粒子が現像ローラーを通るときに割れやすく
、トナーの飛散量が増加する原因となる。
【０００９】
本発明は、低温定着性と耐熱保存性に優れ、さらに定着画像の耐擦過性が向上し、トナ
ー飛散を低減することができる電子写真用トナーに関する。
【課題を解決するための手段】
【００１０】
本発明は、
スチレンアクリル樹脂(Ａ)の原料モノマー(ａ)、結晶性樹脂(Ｂ)及び着色剤を含有する重
合性単量体組成物を水系媒体中で重合する工程を含む方法により得られる、スチレンアク
リル樹脂(Ａ)と結晶性樹脂(Ｂ)を含有する結着樹脂及び着色剤を含有する電子写真用トナ
ーであって、
前記結晶性樹脂(Ｂ)が、炭素数2以上8以下の脂肪族ジオールＡと炭素数9以上14以下の脂
肪族ジオールＢを30/70以上70/30以下のモル比（脂肪族ジオールＡ／脂肪族ジオールＢ）
で含有するアルコール成分とカルボン酸成分を含む原料モノマーを重縮合して得られるポ
リエステル樹脂部分(Ｂ１)を含む樹脂である、
電子写真用トナー
に関する。
【発明の効果】
【００１１】
本発明の電子写真用トナーは、低温定着性と耐熱保存性に優れ、さらに定着画像の耐擦
過性が向上し、トナー飛散を低減することができるという優れた効果を奏するものである
。
【発明を実施するための形態】
【００１２】
本発明の電子写真用トナーは、結着樹脂としてスチレンアクリル樹脂(Ａ)と結晶性樹脂
(Ｂ)を含有するものであり、スチレンアクリル樹脂(Ａ)の原料モノマー(ａ)、結晶性樹脂
(Ｂ)及び着色剤を含有する重合性単量体組成物を水系媒体中で重合して得られるものであ
るが、結晶性樹脂(Ｂ)が、炭素数2〜8の脂肪族ジオールＡと炭素数9〜14の脂肪族ジオー
ルＢを併用したアルコール成分とカルボン酸成分を含む原料モノマーを重縮合して得られ
るポリエステル樹脂部分(Ｂ１)を含む樹脂である。本発明では、結晶性樹脂(Ｂ)がスチレ
ンアクリル樹脂中に微分散して内包されているため、低温定着性と耐熱保存性を両立でき
るだけでなく、トナーの飛散量を低減し、定着画像の耐擦過性にも優れる。
【００１３】
重合性単量体組成物の重合時に、結晶性ポリエステルが内包されていると、粒子の合一
が抑制され、トナー粒子の円形度が高くなる。トナー粒子の円形度が高いと、トナー粒子
が現像ローラーを通るときに割れにくく、トナーの飛散量を低減することができ、機械内
部の汚染を抑制できると考えられる。
また、結晶性ポリエステルが微分散されていると、定着画像において、結晶性ポリエス
テルが成長し難く、定着画像の耐擦過性が向上すると考えられる。
【００１４】
（スチレンアクリル樹脂(Ａ)）
本発明において、スチレンアクリル樹脂(Ａ)の原料モノマー(ａ)としては、スチレン化
合物及びアルキル(メタ)アクリレートを含む、公知のラジカル重合性単量体を用いること
が好ましい。
【００１５】
スチレン化合物としては、スチレン、α−メチルスチレン、2-メチルスチレン、ビニル
トルエン、クロロスチレン等が挙げられ、スチレンが好ましい。
【００１６】
アルキル(メタ)アクリレートとしては、メチル(メタ)アクリレート、エチル(メタ)アク
リレート、ノルマル又はイソプロピル(メタ)アクリレート、ノルマル、イソ又はターシャ
リーブチル(メタ)アクリレート、オクチル(メタ)アクリレート、2-エチルヘキシル(メタ)
アクリレート、デシル(メタ)アクリレート、ドデシル(メタ)アクリレート等が挙げられる
。なお、アルキル(メタ)アクリレートとは、アクリル酸、メタクリル酸、及びそれらの混
合物のアルキルエステルを意味する。
【００１７】
アルキル(メタ)アクリレートのアルキル基の炭素数は、低温定着性の観点から、1以上
が好ましく、2以上がより好ましく、3以上がさらに好ましく、4以上がさらに好ましい。
また、耐熱保存性の観点から、12以下が好ましく、8以下がより好ましく、6以下がさらに
好ましく、4以下がさらに好ましい。これらの観点から、アルキル(メタ)アクリレートと
しては、ブチルアクリレートが好ましく、ｎ-ブチルアクリレートがより好ましい。
【００１８】
他のラジカル重合性単量体としては、酢酸ビニル等のビニルエステル；ビニルメチルエ
ーテル等のビニルエーテル等が挙げられる。
【００１９】
また、スチレンアクリル樹脂(Ａ)の原料モノマー(ａ)は、耐高温オフセット性の改善を
目的として、少量の多官能性単量体を含有していてもよい。多官能性単量体としては、2
個以上の重合可能な二重結合を有する化合物等が挙げられる。2個以上の重合可能な二重
結合を有する化合物としては、ジビニルベンゼン、ジビニルナフタレン等の芳香族ジビニ
ル化合物；エチレングリコールジアクリレート等の二重結合を2個有するカルボン酸エス
テル；ジビニルアニリン、ジビニルエーテル、ジビニルスルフィド、ジビニルスルホン等
のジビニル化合物；3個以上のビニル基を有する化合物等が挙げられる。
【００２０】
スチレン化合物の含有量は、原料モノマー(ａ)中、耐熱保存性の観点から、50質量％以
上が好ましく、60質量％以上がより好ましく、70質量％以上がさらに好ましく、75質量％
以上がさらに好ましい。また、低温定着性の観点から、95質量％以下が好ましく、90質量
％以下がより好ましく、88質量％以下がさらに好ましい。
【００２１】
アルキル(メタ)アクリレートの含有量は、原料モノマー(ａ)中、低温定着性の観点から
、5質量％以上が好ましく、10質量％以上がより好ましく、12質量％以上がさらに好まし
く、耐熱保存性の観点から、50質量％以下が好ましく、40質量％以下がより好ましく、30
質量％以下がさらに好ましく、25質量％以下がさらに好ましい。
【００２２】
（結晶性樹脂(Ｂ)）
結晶性樹脂(Ｂ)は、アルコール成分とカルボン酸成分を含む原料モノマーを重縮合して
得られるポリエステル樹脂部分(Ｂ１)を含む樹脂である
【００２３】
なお、樹脂の結晶性は、軟化点と示差走査熱量計による吸熱の最高ピーク温度との比、
即ち［軟化点／吸熱の最高ピーク温度］の値で定義される結晶性指数によって表わされる
。結晶性樹脂は、結晶性指数が0.6〜1.4、好ましくは0.7〜1.2、より好ましくは0.9〜1.2
であり、非晶質樹脂は1.4を超えるか、0.6未満の樹脂である。樹脂の結晶性は、原料モノ
マーの種類とその比率、及び製造条件(例えば、反応温度、反応時間、冷却速度)等により
調整することができる。なお、吸熱の最高ピーク温度とは、観測される吸熱ピークのうち
、最も高温側にあるピークの温度を指す。結晶性樹脂においては、吸熱の最高ピーク温度
を融点とする。
【００２４】
ポリエステル樹脂部分(Ｂ１)のアルコール成分は、炭素数2〜8の脂肪族ジオールＡと炭
素数9〜14の脂肪族ジオールＢを含有する。ポリエステル樹脂部分(Ｂ１)は、2種の鎖長の
異なる脂肪族ジオールを用いているため、スチレンアクリル樹脂(Ａ)中の結晶性樹脂(Ｂ)
の結晶の成長が抑制され、結晶が微分散された状態になると考えられる。これにより、結
晶の融点が低下して、低温定着性が向上すると考えられる。
【００２５】
脂肪族ジオールＡの炭素数は、トナーの低温定着性、耐熱保存性、及び定着画像の耐擦
過性を向上させ、トナーの飛散量を低減する観点から、2以上であり、4以上が好ましく、
6以上がより好ましい。また、トナーの低温定着性の観点から、8以下であり、6以下が好
ましい。
【００２６】
脂肪族ジオールＡとしては、エチレングリコール、1,2-プロパンジオール、1,3-プロパ
ンジオール、1,4-ブタンジオール、1,5-ペンタンジオール、1,6-ヘキサンジオール、1,7-
ヘプタンジオール、1,8-オクタンジオール、ネオペンチルグリコール等が挙げられ、1種
であっても、2種以上が併用されていてもよい。これらの中では、定着性及び定着画像の
耐擦過性の観点から、1,4-ブタンジオール及び1,6-ヘキサンジオールがより好ましく、1,
6-ヘキサンジオールがさらに好ましい。
【００２７】
脂肪族ジオールＢの炭素数は、トナーの低温定着性、耐熱保存性、及び定着画像の耐擦
過性を向上させ、トナーの飛散量を低減するの観点から、9以上であり、10以上が好まし
く、12以上がより好ましい。また、トナーの低温定着性の観点から、14以下であり、12以
下が好ましい。
【００２８】
なお、脂肪族ジオールＡと脂肪族ジオールＢとの炭素数の差は、トナーの低温定着性、
耐熱保存性、及び定着画像の耐擦過性を向上させ、トナーの飛散量を低減する観点から、
3以上が好ましく、5以上がより好ましい。また、同様の観点から、10以下が好ましく、8
以下がより好ましく、6以下がさらに好ましい。
【００２９】
脂肪族ジオールＢとしては、1,9-ノナンジオール、1,10-デカンジオール、1,11-ウンデ
カンジオール、1,12-ドデカンジオール等が挙げられ、1種であっても、2種以上が併用さ
れていてもよい。これらの中では、トナーの低温定着性及び耐熱保存性の観点から、1,9-
ノナンジオール、1,10-デカンジオール及び1,12-ドデカンジオールが好ましく、1,12-ド
デカンジオールがより好ましい。
【００３０】
脂肪族ジオールＡ及びＢの少なくとも一方が、好ましくは少なくとも脂肪族ジオールＡ
が、より好ましくは両方が、樹脂の結晶性を高め、トナーの低温定着性、耐熱保存性及び
定着画像の耐擦過性を向上させ、トナーの飛散量を低減する観点から、水酸基を炭素鎖の
末端に有していることが好ましく、α，ω−直鎖アルカンジオールであることが好ましい
。
【００３１】
脂肪族ジオールＡと脂肪族ジオールＢのモル比（脂肪族ジオールＡ／脂肪族ジオールＢ
）は、トナーの低温定着性、耐熱保存性、及び定着画像の耐擦過性を向上させ、トナーの
飛散量を低減する観点から、70/30以下であり、65/35以下が好ましく、60/40以下がより
好ましく、55/45以下がさらに好ましい。また、定着画像の耐擦過性を向上する観点から
、30/70以上であり、35/65以上が好ましく、トナーの低温定着性、耐熱保存性、及び定着
画像の耐擦過性を向上させ、トナーの飛散量を低減する観点から、40/60以上がより好ま
しい。
【００３２】
脂肪族ジオールＡと脂肪族ジオールＢの総量は、アルコール成分中、80モル％以上が好
ましく、90モル％以上がより好ましい。
【００３３】
脂肪族ジオールＡ及びＢ以外のアルコール成分としては、炭素数15以上の脂肪族ジオー
ル、ビスフェノールＡのアルキレンオキサイド付加物等の芳香族ジオール、ソルビトール
、ペンタエリスリトール、グリセリン、トリメチロールプロパン等の3価以上のアルコー
ル等が挙げられる。
【００３４】
ポリエステル樹脂部分(Ｂ１)のカルボン酸成分は、トナーの低温定着性の観点から、脂
肪族ジカルボン酸化合物を含有していることが好ましい。
【００３５】
脂肪族ジカルボン酸化合物における鎖状炭化水素基は直鎖であっても分岐鎖であっても
よいが直鎖であることが好ましく、また、鎖状炭化水素基は飽和炭化水素基であっても不
飽和炭化水素基であってもよいが、飽和炭化水素基が好ましい。脂肪族ジカルボン酸化合
物の炭素数は、トナーの低温定着性、耐熱保存性、及び定着画像の耐擦過性を向上させ、
トナーの飛散量を低減する観点から、8以上が好ましく、10以上がより好ましく、12以上
がさらに好ましい。また、低温定着性の観点から、16以下が好ましく、14以下がより好ま
しく、12以下がさらに好ましい。
【００３６】
炭素数8〜16の脂肪族ジカルボン酸化合物としては、フマル酸（炭素数：4）、スベリン
酸（炭素数：8）、アゼライン酸（炭素数：9）、セバシン酸（炭素数：10）、ドデカン二
酸（炭素数：12）、テトラデカン二酸（炭素数：14）、側鎖にアルキル基又はアルケニル
基を有するコハク酸、これらの酸の無水物、それらの炭素数1〜3のアルキルエステル等が
挙げられる。本発明において、脂肪族カルボン酸化合物の炭素数にアルキルエステル部の
炭素数は含まれない。
【００３７】
脂肪族ジカルボン酸化合物の含有量は、カルボン酸成分中、70モル％以上が好ましく、
80モル％以上がより好ましい。また、トナーの低温定着性の観点から、100モル％以下が
好ましく、95モル％以下がより好ましく、90モル％以下がさらに好ましく、85モル％以下
がさらに好ましい。
【００３８】
他のカルボン酸化合物としては、テレフタル酸、イソフタル酸等の芳香族ジカルボン酸
化合物、炭素数2〜7の脂肪族ジカルボン酸化合物、トリメリット酸、ピロメリット酸等の
3価以上のカルボン酸化合物等が挙げられる。
【００３９】
ポリエステル樹脂部分(Ｂ１)の原料モノマーは、1価のアルコール及び1価のカルボン酸
化合物の少なくともいずれかを含有していることが好ましい。即ち、アルコール成分には
1価のアルコールが、カルボン酸成分には1価のカルボン酸化合物が、適宜含有されていて
もよく、本発明では、トナーの低温定着性の観点から、アルコール成分及びカルボン酸成
分の両方に、それぞれ含有していてもよい。
【００４０】
1価のアルコールと1価のカルボン酸化合物の炭素数は、トナーの低温定着性、及び定着
画像の耐擦過性を向上させ、トナーの飛散量を低減する観点から、8以上が好ましく、16
以上がより好ましく、18以上がさらに好ましい。また、トナーの耐熱保存性、及び定着画
像の耐擦過性を向上させる観点から、22以下が好ましく、20以下がより好ましく、18以下
がさらに好ましい。
【００４１】
1価のアルコール及び1価のカルボン酸化合物は、低温定着性の観点から、脂肪族が好ま
しい。ただし、後述する両反応性モノマーに用いられる、エチレン性不飽和基（反応性不
飽和基）を有する化合物を除く。
【００４２】
炭素数8〜22の1価の脂肪族アルコールとしては、パルミチルアルコール、ステアリルア
ルコール、ベヘニルアルコール等が挙げられ、これらのなかでは、ステアリルアルコール
が好ましい。
【００４３】
炭素数8〜22の1価の脂肪族カルボン酸化合物としては、パルミチン酸、ステアリン酸、
ベヘニン酸等が挙げられ、これらのなかでは、ステアリン酸が好ましい。
【００４４】
炭素数8〜22の1価のアルコールと炭素数8〜22の1価のカルボン酸化合物の総含有量は、
ポリエステル樹脂部分(Ｂ１)の原料モノマーである、アルコール成分とカルボン酸成分の
総量中、トナーの低温定着性、及び定着画像の耐擦過性を向上させ、トナーの飛散量を低
減する観点から、2モル％以上が好ましく、4モル％以上がより好ましく、6モル％以上が
さらに好ましく、8モル％以上がさらに好ましい。また、トナーの耐熱保存性、及び定着
画像の耐擦過性を向上させる観点から、20モル％以下が好ましく、18モル％以下がより好
ましく、16モル％以下がさらに好ましく、14モル％以下がさらに好ましく、12モル％以下
がさらに好ましい。
【００４５】
重縮合に用いるカルボン酸成分とアルコール成分の当量モル比（ＣＯＯＨ基／ＯＨ基）
は、トナーの耐熱保存性の観点から、0.93以上が好ましく、0.98以上がより好ましい。ま
た、トナーの耐熱保存性の観点から、1.10以下が好ましく、1.05以下がより好ましい。
【００４６】
アルコール成分とカルボン酸成分との重縮合は、エステル化触媒の存在下で行うことが
好ましく、耐スメア性の観点から、エステル化触媒とピロガロール化合物との存在下で行
うことがより好ましい。
【００４７】
エステル化触媒としては、酸化ジブチル錫等が挙げられるが、本発明では、帯電性の観
点から、Ｓｎ-Ｃ結合を有していない錫(II)化合物及びチタン化合物が好ましく、これら
はそれぞれ単独で又は両者を併用して用いることができる。
【００４８】
Ｓｎ−Ｃ結合を有していない錫触媒としては、上記の観点から、Ｓｎ−Ｃ結合を有して
おらず、Ｓｎ-Ｏ結合を有する錫(II)化合物、Ｓｎ-Ｘ(Ｘはハロゲン原子を示す)結合を有
する錫(II)化合物等が好ましく、Ｓｎ-Ｏ結合を有する錫(II)化合物がより好ましい。
【００４９】
Ｓｎ-Ｏ結合を有する錫(II)化合物としては、シュウ酸錫(II)、酢酸錫(II)、オクタン
酸錫(II)、2-エチルヘキサン酸錫(II)、ラウリル酸錫(II)、ステアリン酸錫(II)、オレイ
ン酸錫(II)等の炭素数2〜28のカルボン酸基を有するカルボン酸錫(II)；オクチロキシ錫(
II)、ラウロキシ錫(II)、ステアロキシ錫(II)、オレイロキシ錫(II)等の炭素数2〜28のア
ルコキシ基を有するアルコキシ錫(II)；酸化錫(II)；硫酸錫(II)等が、Ｓｎ-Ｘ(Ｘはハロ
ゲン原子を示す)結合を有する錫(II)化合物としては、塩化錫(II)、臭化錫(II)等のハロ
ゲン化錫(II)等が挙げられる。
【００５０】
チタン化合物としては、Ｔｉ-Ｏ結合を有するチタン化合物が好ましく、総炭素数1〜28
のアルコキシ基、アルケニルオキシ基又はアシルオキシ基を有する化合物がより好ましい
。
【００５１】
Ｔｉ-Ｏ結合を有するチタン化合物としては、チタニウムジヒドロキシビス（トリエタ
ノールアミネート）、チタンジイソプロピレートビストリエタノールアミネート〔Ｔｉ(
Ｃ6Ｈ15Ｏ3Ｎ)2(Ｃ3Ｈ7Ｏ)2〕、チタンジイソプロピレートビスジエタノールアミネート
〔Ｔｉ(Ｃ4Ｈ10Ｏ2Ｎ)2(Ｃ3Ｈ7Ｏ)2〕、チタンジペンチレートビストリエタノールアミネ
ート〔Ｔｉ(Ｃ6Ｈ15Ｏ3Ｎ)2(Ｃ5Ｈ11Ｏ)2〕、チタンジエチレートビストリエタノールア
ミネート〔Ｔｉ(Ｃ6Ｈ15Ｏ3Ｎ)2(Ｃ2Ｈ5Ｏ)2〕、チタンジヒドロキシオクチレートビスト
リエタノールアミネート〔Ｔｉ(Ｃ6Ｈ15Ｏ3Ｎ)2(ＯＨＣ8Ｈ16Ｏ)2〕、チタンジステアレ
ートビストリエタノールアミネート〔Ｔｉ(Ｃ6Ｈ15Ｏ3Ｎ)2(Ｃ18Ｈ37Ｏ)2〕、チタントリ
イソプロピレートトリエタノールアミネート〔Ｔｉ(Ｃ6Ｈ15Ｏ3Ｎ)(Ｃ3Ｈ7Ｏ)3〕、チタ
ンモノプロピレートトリス(トリエタノールアミネート)〔Ｔｉ(Ｃ6Ｈ15Ｏ3Ｎ)3(Ｃ3Ｈ7Ｏ
)〕等が挙げられる。
【００５２】
上記チタン化合物及び錫(II)化合物は、1種又は2種以上を組み合わせて使用することが
できる。
【００５３】
エステル化触媒の存在量は、アルコール成分とカルボン酸成分の総量100質量部に対し
て、0.01〜1.0質量部が好ましく、0.1〜0.6質量部がより好ましい。
【００５４】
また、ピロガロール化合物は、互いに隣接する3個の水素原子が水酸基で置換されたベ
ンゼン環を有する化合物であり、ピロガロール、没食子酸、没食子酸エステル、2,3,4-ト
リヒドロキシベンゾフェノン、2,2',3,4-テトラヒドロキシベンゾフェノン等のベンゾフ
ェノン誘導体、エピガロカテキン、エピガロカテキンガレート等のカテキン誘導体等が挙
げられる。
【００５５】
重縮合反応におけるピロガロール化合物の存在量は、重縮合反応に供される原料モノマ
ー100質量部に対して、0.001〜1.0質量部が好ましく、0.005〜0.4質量部がより好ましく
、0.01〜0.2質量部がさらに好ましい。
【００５６】
ピロガロール化合物とエステル化触媒の質量比(ピロガロール化合物／エステル化触媒)
は、樹脂の耐久性の観点から、0.01〜0.5が好ましく、0.03〜0.3がより好ましく、0.05〜
0.2がさらに好ましい。
【００５７】
アルコール成分とカルボン酸成分との重縮合反応は、例えば、エステル化触媒、重合禁
止剤等の存在下、不活性ガス雰囲気中で行うことができ、温度条件は、120〜230℃が好ま
しい。具体的には、例えば樹脂の強度を上げるために全モノマーを一括仕込みしたり、低
分子量成分を少なくするために2価のモノマーを先ず反応させた後、3価以上のモノマーを
添加して反応させる等の方法を用いてもよい。また、重合の後半に反応系を減圧すること
により、反応促進させてもよい。
【００５８】
本発明において、結晶性樹脂(Ｂ)は、ポリエステル樹脂部分(Ｂ１)を60質量％以上含む
ことが好ましく、80質量％以上含むことがより好ましいが、さらに、ポリエステル樹脂部
分(Ｂ１)以外の樹脂部分を含む複合樹脂であってもよい。本発明では、トナーの低温定着
性及び定着画像の耐擦過性の観点から、ポリエステル樹脂部分(Ｂ１)と、スチレンを含む
原料モノマーを付加重合して得られる付加重合系樹脂部分(Ｂ２)を有する複合樹脂が好ま
しい。
【００５９】
付加重合系樹脂部分(Ｂ２)は、定着画像の耐擦過性を向上させ、トナーの飛散量を低減
する観点から、スチレン系樹脂が好ましい。
【００６０】
従って、付加重合系樹脂部分(Ｂ２)の原料モノマーとしては、スチレン化合物を含む公
知のラジカル重合性単量体を用いることができる。
【００６１】
スチレン化合物としては、定着画像の耐擦過性を向上させ、トナーの飛散量を低減する
観点から、スチレンが好ましい。かかる観点から、スチレン化合物の含有量は、付加重合
系樹脂部分(Ｂ２)の原料モノマー中、60質量％以上が好ましく、80質量％以上がより好ま
しく、90質量％以上がさらに好ましく、実質100質量％がさらに好ましい。
【００６２】
スチレン化合物以外のラジカル重合性単量体としては、炭素数1〜12のアルキル(メタ)
アクリレートが好ましい。スチレン化合物、アルキル(メタ)アクリレート及び他のラジカ
ル性重合単量体の具体例は、スチレンアクリル樹脂(Ａ)の原料モノマー(ａ)と同じである
。
【００６３】
また、スチレン系樹脂の原料モノマーは、本発明の効果を損なわない限り、耐高温オフ
セット性の改善を目的として、少量の多官能性単量体を含有していてもよい。
【００６４】
付加重合系樹脂部分の原料モノマーの付加重合反応は、例えば、重合開始剤、架橋剤等
の存在下、有機溶媒存在下又は無溶媒下で、常法により行うことができるが、温度条件と
しては、110〜200℃が好ましく、140〜170℃がより好ましい。
【００６５】
また、付加重合反応は、必要に応じて、重合開始剤等の存在下で行ってもよい。重合開
始剤としては、ジブチルパーオキサイド、ジクミルパーオキサイド等の過酸化物等が挙げ
られる。重合開始剤の使用量は、付加重合系樹脂部分の原料モノマー100質量部に対して
、4〜12質量部が好ましく、6〜10質量部がより好ましい。
【００６６】
付加重合反応の際に有機溶媒を使用する場合、キシレン、トルエン、メチルエチルケト
ン、アセトン等を用いることができる。有機溶媒の使用量は、スチレン系樹脂部分の原料
モノマー100質量部に対して、10〜50質量部程度が好ましい。
【００６７】
このような複合樹脂は、例えば、（1）カルボキシ基や水酸基を有する付加重合系樹脂
の存在下で、ポリエステル樹脂部分(Ｂ１)の原料モノマーを重縮合させる方法（カルボキ
シ基や水酸基は後述する両反応性モノマーや連鎖移動剤など由来のものを用いることがで
きる）、（2）反応性不飽和結合を有するポリエステル樹脂の存在下で、付加重合系樹脂
部分(Ｂ２)の原料モノマーを付加重合させる方法等で得ることができる。
【００６８】
上記複合樹脂は、トナーの低温定着性の観点から、ポリエステル樹脂部分(Ｂ１)の原料
モノマーと付加重合系樹脂部分(Ｂ２)の原料モノマーに加えて、さらにポリエステル樹脂
部分(Ｂ１)の原料モノマー及び付加重合系樹脂部分(Ｂ２)の原料モノマーのいずれとも反
応し得る、両反応性モノマーを用いて得られる樹脂（ハイブリッド樹脂）であることが好
ましい。従って、ポリエステル樹脂部分(Ｂ１)の原料モノマー及び付加重合系樹脂部分(
Ｂ２)の原料モノマーを重合させて複合樹脂を得る際に、重縮合反応及び／又は付加重合
反応は、両反応性モノマーの存在下で行うことが好ましい。これにより、複合樹脂は、両
反応性モノマー由来の構成単位を介してポリエステル樹脂部分(Ｂ１)と付加重合系樹脂部
分(Ｂ２)とが結合した樹脂（ハイブリッド樹脂）となり、ポリエステル樹脂部分(Ｂ１)と
付加重合系樹脂部分(Ｂ２)とがより微細に、かつ均一に分散したものとなる。
【００６９】
これらから、複合樹脂は、（イ）炭素数2〜8の脂肪族ジオールＡと炭素数9〜14の脂肪
族ジオールＢを含有するアルコール成分とカルボン酸成分とを含む、ポリエステル樹脂部
分(Ｂ１)の原料モノマー、（ロ）付加重合系樹脂部分(Ｂ２)の原料モノマー、及び（ハ）
ポリエステル樹脂部分(Ｂ１)の原料モノマー及び付加重合系樹脂部分(Ｂ２)の原料モノマ
ーのいずれとも反応し得る両反応性モノマーを重合させることにより得られるハイブリッ
ド樹脂であることが好ましい。
【００７０】
両反応性モノマーとしては、分子内に、水酸基、カルボキシ基、エポキシ基、第1級ア
ミノ基及び第2級アミノ基からなる群より選ばれた少なくとも1種の官能基、好ましくは水
酸基及び／又はカルボキシ基、より好ましくはカルボキシ基と、エチレン性不飽和結合と
を有する化合物が好ましく、このような両反応性モノマーを用いることにより、分散相と
なる樹脂の分散性をより向上させることができる。両反応性モノマーは、アクリル酸、メ
タクリル酸、フマル酸、マレイン酸及び無水マレイン酸からなる群より選ばれた少なくと
も1種であることが好ましいが、重縮合反応及び付加重合反応の反応性の観点から、アク
リル酸、メタクリル酸及びフマル酸がより好ましい。但し、重合禁止剤と共に用いた場合
は、フマル酸等の多価カルボン酸は、重縮合系のモノマーとして機能する場合がある。
【００７１】
両反応性モノマーの使用量は、付加重合系樹脂部分(Ｂ２)とポリエステル樹脂部分(Ｂ
１)との分散性を高め、トナーの低温定着性の向上の観点から、ポリエステル樹脂部分(Ｂ
１)のアルコール成分の合計100モルに対して、1〜20モル［（両反応性モノマーのモル／
ポリエステル樹脂部分(Ｂ１)のアルコール成分の合計モル）×100］が好ましく、2〜15モ
ルがより好ましく、2〜10モルがさらに好ましく、付加重合系樹脂部分(Ｂ２)の原料モノ
マーの合計100モルに対して、2〜25モル［（両反応性モノマーのモル／付加重合系樹脂部
分(Ｂ２)の原料モノマーの合計モル）×100］が好ましく、3〜15モルがより好ましい。
【００７２】
複合樹脂は、具体的には、以下の方法により製造することが好ましい。両反応性モノマ
ーは、トナーの光沢性を高める観点から、付加重合系樹脂部分(Ｂ２)の原料モノマーとと
もに付加重合反応に用いることが好ましい。
【００７３】
(i) ポリエステル樹脂部分(Ｂ１)の原料モノマーによる重縮合反応の工程(Ａ)の後に、付
加重合系樹脂部分(Ｂ２)の原料モノマー及び両反応性モノマーによる付加重合反応の工程
(Ｂ)を行う方法
この方法では、重縮合反応に適した反応温度条件下で工程(Ａ)を行い、反応温度を低下
させ、付加重合反応に適した温度条件下で工程(Ｂ)を行う。付加重合系樹脂部分(Ｂ２)の
原料モノマー及び両反応性モノマーは、付加重合反応に適した温度で反応系内に添加にす
ることが好ましい。両反応性モノマーは付加重合反応と共にポリエステル樹脂部分(Ｂ１)
とも反応する。
最初の工程(Ａ)でポリエステル樹脂部分(Ｂ１)の原料モノマーの一部を用い、工程(Ｂ)
の後に、残りの原料モノマーを反応系に添加し、再度反応温度を上昇させ、工程(Ａ)の重
縮合反応や両反応性モノマーとの反応をさらに進めることもできる。
【００７４】
(ii) 付加重合系樹脂部分(Ｂ２)の原料モノマー及び両反応性モノマーによる付加重合反
応の工程(Ｂ)の後に、ポリエステル樹脂部分(Ｂ１)の原料モノマーによる重縮合反応の工
程(Ａ)を行う方法
この方法では、付加重合反応に適した反応温度条件下で工程(Ｂ)を行い、反応温度を上
昇させ、重縮合反応に適した温度条件下で、工程(Ａ)の重縮合反応を行う。両反応性モノ
マーは付加重合反応と共に重縮合反応にも関与する。
ポリエステル樹脂部分(Ｂ１)の原料モノマーは、付加重合反応時に反応系内に存在して
もよく、重縮合反応に適した温度条件下で反応系内に添加してもよい。前者の場合は、重
縮合反応に適した温度でエステル化触媒を添加することで調節できる。
【００７５】
(iii) ポリエステル樹脂部分(Ｂ１)の原料モノマーによる重縮合反応の工程(Ａ)と付加重
合系樹脂部分(Ｂ２)の原料モノマー及び両反応性モノマーによる付加重合反応の工程(Ｂ)
とを並行して行う方法
この方法では、付加重合反応に適した反応温度条件下で工程(Ａ)と工程(Ｂ)とを行い、
反応温度を上昇させ、重縮合反応に適した温度条件下で、必要に応じて架橋剤となる3価
以上のポリエステル樹脂部分(Ｂ１)の原料モノマーを重合系に添加し、工程(Ａ)の重縮合
反応をさらに行うことが好ましい。その際、重縮合反応に適した温度条件下では、ラジカ
ル重合禁止剤を添加して重縮合反応だけを進めることもできる。両反応性モノマーは付加
重合反応と共に重縮合反応にも関与する。
【００７６】
上記（ｉ）の方法においては、重縮合反応を行う工程(Ａ)の代わりに、予め重合したポ
リエステル樹脂を用いてもよい。上記(iii)の方法において、工程(Ａ)と工程(Ｂ)を並行
して行う際には、ポリエステル樹脂部分(Ｂ１)の原料モノマーを含有した混合物中に、付
加重合系樹脂部分(Ｂ２)の原料モノマーを含有した混合物を滴下して反応させることもで
きる。
【００７７】
上記(i)〜(iii)の方法は、同一容器内で行うことが好ましい。
【００７８】
複合樹脂において、ポリエステル樹脂部分(Ｂ１)と付加重合系樹脂部分(Ｂ２)の質量比
（ポリエステル樹脂部分(Ｂ１)／付加重合系樹脂部分(Ｂ２)）は、トナーの低温定着性、
耐熱保存性、及び定着画像の耐擦過性を向上させ、トナーの飛散量を低減する観点から、
60/40以上が好ましく、65/35以上がより好ましく、70/30以上がさらに好ましく、80/20以
上がさらに好ましく、85/15以上がさらに好ましい。また、トナーの低温定着性、耐熱保
存性、及び定着画像の耐擦過性を向上させ、トナーの飛散量を低減する観点から、98/2以
下が好ましく、95/5以下がより好ましい。
なお、ポリエステル樹脂部分(Ｂ１)と付加重合系樹脂部分(Ｂ２)の質量比はそれぞれの
合計量の比から算出する。後述の両反応性モノマーは、ポリエステル樹脂部分(Ｂ１)に含
める。ポリエステル樹脂部分(Ｂ１)の質量には、ポリエステル樹脂部分の原料モノマーの
合計量から、縮合反応時の脱水量を除去した値を用い、また、付加重合系樹脂部分(Ｂ２)
の質量には、付加重合系樹脂部分の原料モノマー及び重合開始剤の合計量を用いる。
【００７９】
結晶性樹脂(Ｂ)の軟化点は、トナーの耐熱保存性の観点から、60℃以上が好ましく、70
℃以上がより好ましい。また、トナーの低温定着性の観点から、110℃以下が好ましく、1
00℃以下がより好ましく、90℃以下がさらに好ましく、80℃以下がさらに好ましい。
【００８０】
また、結晶性樹脂(Ｂ)の融点は、トナーの耐熱保存性の観点から、65℃以上が好ましく
、67℃以上好ましく、68℃以上がさらに好ましい。また、低温定着性の観点から、100℃
以下が好ましく、90℃以下がより好ましく、80℃以下がさらに好ましい。
【００８１】
結晶性樹脂(Ｂ)の酸価は、トナーの低温定着性を向上させる観点から、0.1mgKOH/g以上
が好ましく、0.5mgKOH/g以上がより好ましく、1.0mgKOH/g以上がさらに好ましい。また、
結晶性樹脂の親水性を低下させ、内包化により、トナーの耐熱保存性、定着画像の耐擦過
性を向上させ、トナーの飛散量を低減する観点から、15mgKOH/g以下が好ましく、10mgKOH
/g以下がより好ましく、5mgKOH/g以下がさらに好ましく、3mgKOH/g以下がさらに好ましい
。
【００８２】
結晶性樹脂(Ｂ)の水酸基価は、トナーの低温定着性を向上させる観点から、0.5mgKOH/g
以上が好ましく、1mgKOH/g以上がより好ましく、2mgKOH/g以上がさらに好ましい。また、
結晶性樹脂の親水性を低下させ、内包化により、トナーの耐熱保存性、定着画像の耐擦過
性を向上させ、トナーの飛散量を低減する観点から、20mgKOH/g以下が好ましく、15mgKOH
/g以下がより好ましく、10mgKOH/g以下がさらに好ましく、7mgKOH/g以下がさらに好まし
い。
【００８３】
結晶性樹脂(Ｂ)の酸価と水酸基価の合計値は、結晶性樹脂の親水性を低下させ、内包化
により、トナーの耐熱保存性、及び定着画像の耐擦過性を向上させ、トナーの飛散量を低
減する観点から、25mgKOH/g以下が好ましく、20mgKOH/g以下がより好ましく、15mgKOH/g
以下がさらに好ましく、12mgKOH/g以下がさらに好ましい。また、樹脂を低分子量化し、
トナーの低温定着性を向上させる観点から、2.5mgKOH/g以上が好ましく、3.0mgKOH/g以上
がより好ましく、4.0mgKOH/g以上がさらに好ましい。
【００８４】
結晶性樹脂の軟化点、融点及び酸価は、原料モノマー組成、重合開始剤、分子量、触媒
量等の調整又は反応条件の選択により容易に調整することができる。
【００８５】
結晶性樹脂(Ｂ)の含有量は、結着樹脂中、トナーの低温定着性の観点から、1質量％以
上が好ましく、3質量％以上がより好ましく、5質量％以上がさらに好ましく、8質量％以
上がさらに好ましい。また、トナーの耐熱保存性、定着画像の耐擦過性を向上させ、トナ
ーの飛散量を低減する観点から、20質量％以下が好ましく、15質量％以下がより好ましく
、13質量％以下がさらに好ましい。
【００８６】
スチレンアクリル樹脂(Ａ)の原料モノマー(ａ)と前記結晶性樹脂(Ｂ)の質量比((ａ)／(
Ｂ))は、トナーの耐熱保存性、定着画像の耐擦過性を向上させ、トナーの飛散量を低減す
る観点から、80/20以上が好ましく、85/15以上がより好ましく、87/13以上がさらに好ま
しい。また、トナーの低温定着性の観点から、99/1以下が好ましく、97/3以下がより好ま
しく、92/8以下がさらに好ましい。
【００８７】
着色剤としては、トナー用着色剤として用いられている染料、顔料等のすべてを使用す
ることができ、カーボンブラック、フタロシアニンブルー、パーマネントブラウンFG、ブ
リリアントファーストスカーレット、ピグメントグリーンB、ローダミン−Bベース、ソル
ベントレッド49、ソルベントレッド146、ソルベントブルー35、キナクリドン、カーミン6
B、ジスアゾエロー等が用いることができ、本発明のトナーは、黒トナー、カラートナー
のいずれであってもよい。着色剤の含有量は、トナーの画像濃度及び低温定着性を向上さ
せる観点から、スチレンアクリル樹脂(Ａ)の原料モノマー(ａ)と結晶性樹脂(Ｂ)の総量10
0質量部に対して、1質量部以上が好ましく、2質量部以上がより好ましい。また、40質量
部以下が好ましく、10質量部以下がより好ましい。
【００８８】
本発明のトナーは、懸濁重合法により得られるものであり、結着樹脂として、スチレン
アクリル樹脂(Ａ)と結晶性樹脂(Ｂ)を含有する。懸濁重合法により、トナー粒子を製造す
ることで、スチレンアクリル樹脂(Ａ)と結晶性樹脂(Ｂ)とが相溶せず境界を有する構造に
制御することができる。
【００８９】
懸濁重合法による本発明のトナーは、具体的には、スチレンアクリル樹脂(Ａ)の原料モ
ノマー(ａ)、結晶性樹脂(Ｂ)及び着色剤を含有する重合性単量体組成物を水系媒体中で重
合する工程を含む方法により得られる。
【００９０】
重合性単量組成物には、前記のスチレンアクリル樹脂(Ａ)と結晶性樹脂(Ｂ)以外の公知
のトナー用結着樹脂が含まれていてもよい。即ち、本発明のトナーは、結着樹脂として、
本発明の効果を損なわない範囲で、前記のスチレンアクリル樹脂(Ａ)と結晶性樹脂(Ｂ)以
外の公知のトナー用結着樹脂、例えば、ポリエステル、エポキシ樹脂、ポリカーボネート
、ポリウレタン等の樹脂が併用されていてもよいが、スチレンアクリル樹脂(Ａ)と結晶性
樹脂(Ｂ)の総含有量は、結着樹脂中、50質量％以上が好ましく、70質量％以上がより好ま
しく、80質量％以上がさらに好ましく、90質量％以上がさらに好ましく、実質的に100質
量％であることがさらに好ましい。
【００９１】
また、重合性単量体組成物には、離型剤、荷電制御剤、磁性粉、流動性向上剤、導電性
調整剤、繊維状物質等の補強充填剤、酸化防止剤、クリーニング性向上剤等の添加剤が含
有されていてもよい。
【００９２】
離型剤としては、ポリプロピレンワックス、ポリエチレンワックス、ポリプロピレンポ
リエチレン共重合体ワックス、マイクロクリスタリンワックス、パラフィンワックス、フ
ィッシャートロプシュワックス等の脂肪族炭化水素系ワックス及びそれらの酸化物、カル
ナウバワックス、モンタンワックス、サゾールワックス及びそれらの脱酸ワックス、脂肪
酸エステルワックス等のエステル系ワックス、脂肪酸アミド類、脂肪酸類、高級アルコー
ル類、脂肪酸金属塩等が挙げられ、これらは単独で又は2種以上を混合して用いることが
できる。
【００９３】
離型剤の融点は、トナーの低温定着性と耐オフセット性の観点から、60〜160℃が好ま
しく、60〜150℃がより好ましい。
【００９４】
離型剤の含有量は、結着樹脂100質量部に対して、トナーの低温定着性と耐オフセット
性の観点及び結着樹脂中への分散性の観点から、0.5質量部以上が好ましく、1質量部以上
がより好ましく、1.5質量部以上がさらに好ましい。また、12質量部以下が好ましく、10
質量部以下がより好ましく、8質量部以下がさらに好ましい。
【００９５】
荷電制御剤は、特に限定されず、正帯電性荷電制御剤及び負帯電性荷電制御剤のいずれ
を含有していてもよい。
【００９６】
正帯電性荷電制御剤としては、ニグロシン染料、例えば「ニグロシンベースEX」、「オ
イルブラックBS」、「オイルブラックSO」、「ボントロンN-01」、「ボントロンN-04」、
「ボントロンN-07」、「ボントロンN-09」、「ボントロンN-11」(以上、オリエント化学
工業社製)等；3級アミンを側鎖として含有するトリフェニルメタン系染料、4級アンモニ
ウム塩化合物、例えば「ボントロンP-51」(オリエント化学工業社製)、セチルトリメチル
アンモニウムブロミド、「COPY CHARGE PX VP435」(クラリアント社製)等；ポリアミン樹
脂、例えば「AFP-B」(オリエント化学工業社製)等；イミダゾール誘導体、例えば「PLZ-2
001」、「PLZ-8001」(以上、四国化成社製)等；スチレン−アクリル系樹脂、例えば「FCA
-701PT」（藤倉化成社製）等が挙げられる。
【００９７】
また、負帯電性荷電制御剤としては、含金属アゾ染料、例えば「バリファーストブラッ
ク3804」、「ボントロンS-31」、「ボントロンS-32」、「ボントロンS-34」、「ボントロ
ンS-36」(以上、オリエント化学工業社製)、「アイゼンスピロンブラックTRH」、「T-77
」(保土谷化学工業社製)等；ベンジル酸化合物の金属化合物、例えば、「LR-147」、「LR
-297」(以上、日本カーリット社製)等；サリチル酸化合物の金属化合物、例えば、「ボン
トロンE-81」、「ボントロンE-84」、「ボントロンE-88」、「ボントロンE-304」(以上、
オリエント化学工業社製)、「TN-105」(保土谷化学工業社製)等；銅フタロシアニン染料
；4級アンモニウム塩、例えば「COPY CHARGE NX VP434」(クラリアント社製)、ニトロイ
ミダゾール誘導体等；有機金属化合物、例えば「TN105」(保土谷化学工業社製)等が挙げ
られる。
【００９８】
荷電制御剤の含有量は、トナーの帯電安定性の観点から、結着樹脂100質量部に対して
、0.01質量部以上が好ましく、0.3質量部以上がより好ましく、0.5質量部以上がさらに好
ましい。また、10質量部以下が好ましく、5質量部以下がより好ましく、3質量部以下がさ
らに好ましく、2質量部以下がさらに好ましい。
【００９９】
重合性単量体組成物は、スチレンアクリル樹脂(Ａ)の原料モノマー(ａ)に、結晶性樹脂
(Ｂ)及び着色剤と、必要に応じて、離型剤、荷電制御剤等の添加剤を混合し、加熱等によ
り、結晶性樹脂(Ｂ)に溶解させて調製することが好ましい。連鎖移動剤や可塑剤や油剤を
添加してもよい。
【０１００】
水系媒体は、水を好ましくは50質量％以上、より好ましくは70質量％以上、さらに好ま
しくは90質量％以上、さらに好ましくは99質量％以上含有するものである。水単独でもよ
いが、水と混和可能な溶剤を併用することもできる。水と混和可能な溶剤としては、アル
コール（メタノール、イソプロパノール、エチレングリコール等）、ジメチルホルムアミ
ド、テトラヒドロフラン、セルソルブ（登録商標）類（メチルセルソルブ等）、低級ケト
ン類（アセトン、メチルエチルケトン等）等が挙げられる。
【０１０１】
水系媒体量は、トナー粒子の粒径制御の観点から、スチレンアクリル樹脂(Ａ)の原料モ
ノマー(ａ)の3質量倍以上が好ましく、5質量倍以上がより好ましく、生産性の観点から、
10質量倍以下が好ましく、8質量倍以下がより好ましい。
【０１０２】
重合性単量体組成物を、水系媒体と混合し、撹拌して懸濁液とした後、スチレンアクリ
ル樹脂(Ａ)の原料モノマー(ａ)を重合することが好ましい。
【０１０３】
重合性単量体組成物と水系媒体の撹拌には、ホモミキサー、高速攪拌機、超音波分散機
等の高速分散機を用いることができ、これにより、重合性単量体を水系媒体中に均一に分
散させ、容易に懸濁液を調製することができる。
【０１０４】
重合性単量体組成物と水系媒体の撹拌は、窒素雰囲気下、50〜90℃程度の加熱条件下で
行うことが好ましい。
【０１０５】
原料モノマー(ａ)の重合は、懸濁液中の重合性単量体組成物の粒子が粒子状態を維持し
、かつ粒子の浮遊や沈降が生じることがないよう、撹拌しながら行うことが好ましい。
【０１０６】
重合は、分散安定剤の存在下で行うことが好ましく、分散安定剤は、予め水系媒体に添
加しておくことが好ましい。
【０１０７】
分散安定剤としては、リン酸三カルシウム、リン酸マグネシウム、リン酸アルミニウム
、リン酸亜鉛、一般的な界面活性剤等が挙げられる。分散安定剤の量は、原料モノマー(
ａ)100質量部に対し、0.1〜30質量部であることが好ましい。なお、一般的な界面活性剤
の具体例としては、ノニオン性界面活性剤、アニオン性界面活性剤等が挙げられる。
【０１０８】
重合の温度は、重合速度の観点から、40℃以上が好ましく、50℃以上がより好ましく、
60℃以上がさらに好ましい。また、重合速度及び水蒸散防止の観点から、95℃以下が好ま
しく、90℃以下がより好ましく、85℃以下がさらに好ましい。
【０１０９】
重合の時間は、重合反応を終了する観点から、4時間以上が好ましく、6時間以上がより
好ましい。また、微粒子凝集抑制の観点から、20時間以下が好ましく、15時間以下がより
好ましい。
【０１１０】
重合性単量体組成物の重合は、必要に応じて、重合開始剤の存在下で行うことが好まし
い。
【０１１１】
重合開始剤としては、例えば、2,2’-アゾビス-(2,4-ジメチルバレロニトリル)、2,2’
-アゾビスイソブチロニトリル、1,1’-アゾビス(シクロヘキサン-1-カルボニトリル)、2,
2’-アゾビス-4-メトキシ-2,4-ジメチルバレロニトリル、アゾビスイソブチロニトリル等
のアゾ系重合開始剤；ベンゾイルペルオキシド、メチルエチルケトンペルオキシド、ジイ
ソプロピルペルオキシカーボネート、クメンヒドロペルオキシド、2,4-ジクロロベンゾイ
ルペルオキシド、ラウロイルペルオキシド等の過酸化物系重合開始剤等が挙げられ、原料
モノマー(ａ)に溶解するものが好ましい。
【０１１２】
重合開始剤は、重合性単量体組成物を調製する際に他の添加剤とともに混合してもよく
、水系媒体中に懸濁させる直前に重合性単量体組成物中に混合してもよい。また、造粒中
や造粒完了後、すなわち重合反応を開始する直前に、必要に応じて重合性単量体や他の溶
媒に溶解した状態で加えることもできる。重合反応の終了は、原料モノマー(ａ)が、好ま
しくは95モル％以上、より好ましくは98モル％以上反応した時点とすることが好ましい。
また、反応終了時の残存モノマー量は、生成したスチレンアクリル樹脂(Ａ)に対して、50
00ppm(wt/wt)以下であることが好ましい。
【０１１３】
重合後、常法により、残存モノマーを除去し、撹拌を続けながら室温まで冷却し、洗浄
、乾燥することで、トナー粒子が得られる。
【０１１４】
本発明のトナーには、転写性を向上させるために、外添剤を用いることが好ましく、外
添剤としては、無機微粒子を用いることが好ましい。無機微粒子の例は、シリカ、アルミ
ナ、チタニア、ジルコニア、酸化錫、酸化亜鉛が挙げられ、シリカが好ましい。
【０１１５】
シリカは、トナーの転写性の観点から、疎水化処理された疎水性シリカであるのが好ま
しい。
【０１１６】
シリカ粒子の表面を疎水化するための疎水化処理剤としては、ヘキサメチルジシラザン
(HMDS)、ジメチルジクロロシラン(DMDS)、シリコーンオイル、オクチルトリエトキシシラ
ン(OTES)、メチルトリエトキシシラン等が挙げられる。
【０１１７】
外添剤の平均粒子径は、トナーの帯電性や流動性、転写性の観点から、10nm以上が好ま
しく、15nm以上がより好ましい。また、250nm以下が好ましく、200nm以下がより好ましく
、90nm以下がさらに好ましい。
【０１１８】
外添剤の含有量は、外添剤で処理する前のトナー100質量部に対して、0.05質量部以上
が好ましく、0.1質量部以上がより好ましく、0.3質量部以上がさらに好ましい。また、5
質量部以下が好ましく、3質量部以下がより好ましい。
【０１１９】
本発明のトナーの体積中位粒径(Ｄ50)は、3〜15μmが好ましく、4〜10μmがより好まし
い。なお、本明細書において、体積中位粒径(Ｄ50)とは、体積分率で計算した累積体積頻
度が粒径の小さい方から計算して50％になる粒径を意味する。また、トナーを外添剤で処
理している場合には、外添剤で処理する前のトナー粒子の体積中位粒径をトナーの体積中
位粒径とする。
【０１２０】
また、本発明のトナーは、トナー飛散を低減する観点から、粒度分布がシャープであり
、円形度の高いことが好ましい。かかる観点から、トナーの粒度分布のＣＶ値は、40以下
が好ましく、33以下がより好ましい。また、トナーの円形度は、0.980以上が好ましく、0
.985以上がより好ましい。
【０１２１】
本発明のトナーは、一成分現像用トナーとして、又はキャリアと混合して二成分現像剤
として用いることができる。
【実施例】
【０１２２】
以下に、実施例により本発明を具体的に説明するが、本発明はこれらの実施例によって
なんら限定されるものではない。樹脂等の物性は、以下の方法により測定した。
【０１２３】
〔樹脂の軟化点〕
フローテスター「CFT-500D」（島津製作所製）を用い、1gの試料を昇温速度6℃/minで
加熱しながら、プランジャーにより1.96MPaの荷重を与え、直径1mm、長さ1mmのノズルか
ら押し出す。温度に対し、フローテスターのプランジャー降下量をプロットし、試料の半
量が流出した温度を軟化点とする。
【０１２４】
〔樹脂の吸熱の最高ピーク温度〕
示差走査熱量計「Q-100」（ティー・エイ・インスツルメント・ジャパン社製）を用い
て、試料0.01〜0.02gをアルミパンに計量し、室温から降温速度10℃/minで0℃まで冷却し
そのまま1分間静止させる。その後、昇温速度50℃/minで測定する。観測される吸熱ピー
クのうち、最も高温側にあるピークの頂点の温度を吸熱の最高ピーク温度とする。
【０１２５】
〔樹脂の酸価〕
JIS K0070の方法に基づき測定する。但し、測定溶媒のみJIS K0070の規定のエタノール
とエーテルの混合溶媒から、アセトンとトルエンの混合溶媒(アセトン：トルエン＝1:1(
容量比))に変更する。
【０１２６】
〔樹脂の水酸基価〕
JIS K0070の方法により測定する。
【０１２７】
〔離型剤の融点〕
示差走査熱量計「DSC210」（セイコー電子工業社製）を用いて、試料0.01〜0.02gをア
ルミパンに計量し、200℃まで昇温し、その温度から降温速度10℃/minで0℃まで冷却する
。次に試料を昇温速度10℃/minで昇温し、融解熱の最大ピーク温度を融点とする。
【０１２８】
〔外添剤の平均粒子径〕
平均粒子径は、個数平均粒子径を指し、外添剤の走査型電子顕微鏡(SEM)写真から測定
した、500個の粒子の粒径の数平均値をいう。長径と短径がある場合は長径を指す。
【０１２９】
〔トナーの体積中位粒径（Ｄ50）及びＣＶ値〕
トナーの体積中位粒径は、以下の条件で測定する。
測定機：コールターマルチサイザーII（ベックマンコールター社製）
アパチャー径：50μｍ
・解析ソフト：マルチサイザーIIIバージョン 3.51（ベックマンコールター社製）
電解液：アイソトンII（ベックマンコールター社製）
分散液：エマルゲン109Ｐ（花王社製、ポリオキシエチレンラウリルエーテル、HLB：13.6
）を前記電解液に溶解させ、濃度5質量％の分散液を得る。
分散条件：分散液5mLに測定試料10mgを添加し、超音波分散機にて1分間分散させ、その後
、電解液25mLを添加し、さらに、超音波分散機にて1分間分散させて、試料分散液を調製
する。
測定条件：試料分散液を電解液100mLに加え、3万個の粒子の粒径を20秒で測定できる濃度
に調整した後、3万個の粒子を測定し、その粒径分布から体積中位粒径（Ｄ50）を求める
。
また、ＣＶ値（％）は下記式に従って算出する。
ＣＶ値(％)＝（粒径分布の標準偏差／体積中位粒径（Ｄ50））×100
【０１３０】
〔トナーの円形度〕
分散液の調製：5質量％ポリオキシエチレンラウリルエーテル「エマルゲン109P」（花王
社製、HLB:13.6）水溶液5mlにトナー50mgを添加し、超音波分散機にて１分間分散させた
のち、蒸留水20mlを添加し、さらに超音波分散機にて1分間分散させてトナーの分散液を
調製する。
測定装置：フロー式粒子像分析装置「FPIA-3000」（シスメックス社製）
対物レンズ：10倍
測定モード：HPF測定モード
測定個数：1000個
【０１３１】
〔樹脂の製造〕
結晶性樹脂の製造例１
表１〜４に示すアルコール成分を窒素導入管、脱水管、攪拌器及び熱電対を装備した10
Ｌ容の四つ口フラスコに入れ、120℃に加熱した。120℃にて、表１〜４に示すカルボン酸
成分を表１〜４に示す量の半分で添加し、さらに160℃まで加熱し、6時間反応させた。そ
の後、表１〜４に示す付加重合系樹脂の原料モノマー及び両反応性モノマーを滴下ロート
により1時間かけて滴下した。160℃に保持したまま1時間付加重合反応を熟成させた後、
残りのカルボン酸成分を添加し、200℃まで8時間かけて昇温させた。その後、2-エチルヘ
キサン酸錫(II)20g及び没食子酸2gを添加し、200℃にて1時間反応させた後、8.3kPaにて5
時間反応させて、結晶性ハイブリッド樹脂（樹脂Ａ〜Ｌ、Ｎ〜Ｗ、ＡＢ〜ＡＥ）を得た。
【０１３２】
〔樹脂の製造〕
結晶性樹脂の製造例２
表２に示すアルコール成分及びカルボン酸成分を、温度計、ステンレス製撹拌棒、流下
式コンデンサー及び窒素導入管を装備した10リットルの四つ口フラスコに入れ、窒素雰囲
気にてマントルヒーター中で、135℃から200℃まで10時間かけて昇温した後、2-エチルヘ
キサン酸錫(II)20ｇ及び没食子酸2ｇを加えて、1時間反応させた後、8kPaにて所定の酸価
になるまで反応させて、結晶性ポリエステル（樹脂Ｍ）を得た。
【０１３３】
【表１】
2018132779.tif 000002
【０１３４】
【表２】
2018132779.tif 000003
【０１３５】
【表３】
2018132779.tif 000004
【０１３６】
【表４】
2018132779.tif 000005
【０１３７】
〔電子写真用トナーの製造〕
実施例１〜２３及び比較例１〜５
＜水系媒体の調製＞
イオン交換水375gに、10質量％リン酸三カルシウム水溶液「T.C.P.10U」（松尾薬品産
業社製）250gを添加し、60℃に加温したのちに、ＴＫ式ホモミキサー（特殊機化工業製）
を用いて、10,000r/minにて撹拌し、水系媒体を調製した。
【０１３８】
＜重合性単量体組成物の調製＞
ガラスビーカーに、スチレンアクリル樹脂の原料モノマーとして、スチレン85g及びn-
ブチルアクリレート15g、表５に示す結晶性ポリエステル11.1g（結着樹脂中10質量％）、
着色剤としてピグメントブルー15:3 10g、荷電制御剤としてサリチル酸アルミニウム「ボ
ントロンE-88」（オリエント化学社製）2g、及び離型剤としてパラフィンワックス「HNP-
9」（日本精蝋社製、融点：77℃）15gを混合した。60℃に加温し、均一に溶解させた。そ
の後、重合開始剤として2,2’-アゾビス(2,4-ジメチルバレロニトリル)「V-65」（和光純
薬工業社製）4gを滴下し、良く混合して重合性単量体組成物を調製した。
【０１３９】
＜懸濁＞
水系媒体に重合性単量体組成物を投入し、60℃、窒素ガスフロー下において、ＴＫ式ホ
モミキサー（特殊機化工業社製）で15分間撹拌した。
【０１４０】
＜重合、後処理＞
懸濁物をセパラブルフラスコに移し、70℃、200r/minで撹拌しながら8時間重合した。
その後、80℃に昇温し、減圧下で残存モノマーを留去した。撹拌を続けながら20℃まで冷
却し、系内のpHは1以下になるまで塩酸を入れた。洗浄、乾燥を経て体積中位粒径（Ｄ50
）6.5μｍのトナー粒子を得た。
【０１４１】
＜外添工程＞
トナー粒子100質量部に、外添剤として疎水性シリカ「アエロジル R-972」（日本アエ
ロジル社製、疎水化処理剤：DMDS、平均粒子径:16nm)1.0質量部を添加し、ヘンシェルミ
キサーで3600r/min、5分間混合することにより、外添剤処理を行い、体積中位粒径(Ｄ50)
6.5μｍのトナーを得た。
【０１４２】
試験例１〔低温定着性〕
トナー3質量部と、スチレン・メチルメタクリレート樹脂被覆されたフェライト粉（関
東電化工業製、平均粒子径100μｍ）97質量部とを混合して、二成分現像剤を得た。
複写機「AR-505」(シャープ(株)製)の定着機を装置外での定着が可能なように改良した
装置に二成分現像剤を実装し、シャープ(株)製の紙［CopyBond SF-70NA(75g/m2)］上に、
トナー付着量が0.5mg/cm2となるように未定着の状態で印刷物を得た。総定着圧が40kgfに
なるように調整した定着機(定着速度200mm/sec)を用い、定着ローラーの温度を90℃から2
40℃へと5℃ずつ順次上昇させながら、各温度で前記未定着状態の印刷物の定着試験を行
った。
500gの荷重をかけた底面が15mm×7.5mmの砂消しゴムで、定着機を通して定着された画
像を5往復こすり、こする前後の光学反射密度を反射濃度計「RD−915」（マクベス社製）
を用いて測定し、両者の比率（こすり後／こすり前）が最初に70％を越える定着ローラー
の温度を最低定着温度とした。結果を表５に示す。最低定着温度が低いほど、低温定着性
に優れ、最低定着温度は、145℃以下が好ましく、135℃以下がより好ましく、125℃以下
がさらに好ましい。
【０１４３】
試験例２〔耐熱保存性〕
トナー10gを半径12mmの円筒型容器に入れ、上から100gの重りをのせ、50℃及び相対湿
度60％の環境で72時間保持した。
パウダーテスター(ホソカワミクロン(株)製)に、上から順に、篩いＡ(目開き250μｍ)
、篩いＢ(目開き150μｍ)、篩いＣ(目開き75μｍ)の3つの篩を重ね合わせて設置し、篩い
Ａ上にトナー10gを乗せて60秒間振動を与えた。
篩いＡ上に残存したトナー質量ＷＡ(g)を、篩いＢ上に残存したトナー質量ＷＢ(g)を、
篩いＣ上に残存したトナー質量ＷＣ(g)を、それぞれ測定し、式：
α＝100-(ＷＡ＋ＷＢ×0.6＋ＷＣ×0.2)/10×100
に従って算出される値(α)をもとに、耐熱保存性を評価した。結果を表５に示す。値(α)
が100に近いほど、耐熱保存性に優れ、値(α)は、50以上が好ましく、70以上がより好ま
しく、90以上がさらに好ましい。
【０１４４】
試験例３〔定着画像の耐擦過性〕
評価紙としてBusiness4200（秤量105g/m2、Xerox社製）を用い、トナーの載り量を0.50
mg/cm2としたベタ画像を180℃に温調した定着器に通して定着させた。定着画像を、40℃
・相対湿度80％の環境下にて1か月放置した。500gの荷重をかけた底面が15mm×7.5mmの砂
消しゴムで、放置後の定着画像を5往復擦り、擦る前後の光学反射密度を反射濃度計「RD-
915」（マクベス社製）を用いて測定し、式：
画像濃度の低下率(％)＝(1−(擦り後の反射濃度／擦り前の反射濃度))×100
から、画像濃度の低下率（％）を算出し、定着画像の耐擦過性を評価した。結果を表５に
示す。画像濃度の低下率が低いほど、耐擦過性に優れ、低下率は、25％以下が好ましく、
20％以下がより好ましく、15％以下がさらに好ましい。
【０１４５】
試験例４〔トナー飛散〕
非磁性一成分現像方式のプリンター「MICROLINE 5400」(沖データ社製)のイメージドラ
ムユニット（ID-C4BC）を洗浄して、内部のトナーを除去し、感光体を外した後、トナー3
0gを封入した。現像機のみを外部治具にセットし、200r/minで1時間駆動を行った、駆動
後、現像器の下部に設置したトレーに蓄積したトナー（飛散トナー）を回収し、その量（
飛散量）を計測し、トナー飛散を評価した。結果を表５に示す。飛散量が少ないほど、ト
ナー飛散が抑制されており、飛散量は、150mg以下が好ましく、100mg以下がより好ましく
、50mg以下がさらに好ましい。
【０１４６】
【表５】
2018132779.tif 000006
【０１４７】
実施例１〜２３のトナーは、比較例１〜５のトナーと対比して、低温定着性、耐熱保存
性、及び定着画像の耐擦過性が良好であり、トナーの飛散も抑制されていることが分かる
。
脂肪族ジオールＡが使用されていない結晶性樹脂を含む比較例１のトナー及び脂肪族ジ
オールＡの使用量が少ない結晶性樹脂を含む比較例３のトナーは、定着画像の耐擦過性の
低下が顕著であり、脂肪族ジオールＢが使用されていない結晶性樹脂を含む比較例２のト
ナー及び脂肪族ジオールＡの使用量が少ない結晶性樹脂を含む比較例４のトナーは、低温
定着性、耐熱保存性、及び定着画像の耐擦過性が不十分であり、トナーの飛散量も多いこ
とが分かる。
また、脂肪族ジオールＡのみが用いられた結晶性樹脂と脂肪族ジオールＢのみが用いら
れた結晶性樹脂が併用された比較例５のトナーは、低温定着性、耐熱保存性、及び定着画
像の耐擦過性が不十分であり、トナーの飛散量も多いことから、脂肪族ジオールＡと脂肪
族ジオールＢは、１つの樹脂の原料モノマーとして併用されることが重要であることが分
かる。
比較例２、４、５のトナーは、粒度分布のＣＶ値が大きく、円形度が低い、つまりはト
ナー形状にばらつきがあるため、現像時にトナー飛散量が多くなることから、脂肪族ジオ
ールＡと脂肪族ジオールＢは、１つの樹脂の原料モノマーとして併用されることが重要で
あることが分かる。
【産業上の利用可能性】
【０１４８】
本発明の電子写真用トナーは、電子写真法、静電記録法、静電印刷法等において形成さ
れる潜像の現像等に用いられるものである。
【手続補正書】
【提出日】平成30年5月10日(2018.5.10)
【手続補正１】
【補正対象書類名】特許請求の範囲
【補正対象項目名】全文
【補正方法】変更
【補正の内容】
【特許請求の範囲】
【請求項１】
スチレンアクリル樹脂(Ａ)の原料モノマー(ａ)、結晶性樹脂(Ｂ)及び着色剤を含有する重合性単量体組成物を水系媒体中で重合する工程を含む方法により得られる、スチレンアクリル樹脂(Ａ)と結晶性樹脂(Ｂ)を含有する結着樹脂及び着色剤を含有する電子写真用トナーであって、
前記結晶性樹脂(Ｂ)が、炭素数2以上8以下の脂肪族ジオールＡと炭素数9以上14以下の脂肪族ジオールＢを30/70以上70/30以下のモル比（脂肪族ジオールＡ／脂肪族ジオールＢ）で含有するアルコール成分とカルボン酸成分を含む原料モノマーを重縮合して得られるポリエステル樹脂部分(Ｂ１)を含む樹脂であり、該ポリエステル樹脂部分(Ｂ１)の原料モノマーが、炭素数8以上22以下の1価のアルコール及び炭素数8以上22以下の1価のカルボン酸化合物の少なくともいずれかを含有する、
電子写真用トナー。
【請求項２】
ポリエステル樹脂部分(Ｂ１)のカルボン酸成分が、炭素数8以上16以下の脂肪族ジカルボン酸化合物を含有する、請求項１記載の電子写真用トナー。
【請求項３】
炭素数8以上22以下の1価のアルコールと炭素数8以上22以下の1価のカルボン酸化合物の総含有量が、ポリエステル樹脂部分(Ｂ１)のアルコール成分とカルボン酸成分の総量中、2モル％以上20モル％以下である、請求項１又は２記載の電子写真用トナー。
【請求項４】
結晶性樹脂(Ｂ)の酸価と水酸基価の合計値が、2.5mgKOH/g以上25mgKOH/g以下である、請求項１〜３いずれか記載の電子写真用トナー。
【請求項５】
結晶性樹脂(Ｂ)の含有量が、結着樹脂中、1質量％以上20質量％以下である、請求項１〜４いずれか記載の電子写真用トナー。
【手続補正２】
【補正対象書類名】明細書
【補正対象項目名】０１３７
【補正方法】変更
【補正の内容】
【０１３７】
〔電子写真用トナーの製造〕
実施例１〜２３及び比較例１〜５（実施例４は参考例である）
＜水系媒体の調製＞
イオン交換水375gに、10質量％リン酸三カルシウム水溶液「T.C.P.10U」（松尾薬品産業社製）250gを添加し、60℃に加温したのちに、ＴＫ式ホモミキサー（特殊機化工業製）を用いて、10,000r/minにて撹拌し、水系媒体を調製した。